(57)【特許請求の範囲】
【請求項１】
形成パターンが形成された単位基板が複数配設されて成る構成基板を複数個積層する際に、積層する前記構成基板の組み合わせを指示する積層指示装置において、
前記構成基板に配設された単位基板のうち、前記形成パターンに不良が存在する不良の単位基板の位置に関する情報を含む不良情報を入力する入力手段と、
入力した前記不良情報に基づいて、前記構成基板を積層した時に前記不良の単位基板の位置が一致するような前記構成基板の組み合わせに関する組み合わせ情報を生成する生成手段と、
を備えたことを特徴とする積層指示装置。
【請求項２】
形成パターンが形成された単位基板が複数配設されて成る構成基板を複数個積層して多層基板を製造する多層基板製造システムにおいて、
前記単位基板に形成された形成パターンの不良を単位基板毎に検査して、不良の単位基板の位置に関する情報を含む不良情報を生成する検査手段と、
前記不良情報に基づいて、前記構成基板を積層した時に前記不良の単位基板の位置が一致するような前記構成基板の組み合わせに関する組み合わせ情報を生成する生成手段と、
生成した組み合わせ情報を出力する出力手段と、
を備えたことを特徴とする多層基板製造システム。
【請求項３】
前記出力手段は、前記組み合わせ情報を用紙に印刷する印刷手段及び前記組み合わせ情報を表示する表示手段の少なくとも一方を含むことを特徴とする請求項２記載の多層基板製造システム。
【請求項４】
前記構成基板に識別符号を付与する付与手段をさらに備え、前記不良情報が、前記不良の単位基板を含む構成基板の識別符号と前記不良の単位基板の位置を示す位置情報とを含み、前記組み合わせ情報が、前記不良の単位基板の位置が一致する組み合わせの構成基板の識別符号を含むことを特徴とする請求項２又は請求項３記載の多層基板製造システム。
【請求項５】
形成パターンが形成された単位基板が複数配設されて成る構成基板を複数個積層して多層基板を製造する多層基板製造方法において、
前記単位基板に形成された形成パターンの不良を単位基板毎に検査して、不良の単位基板の位置に関する情報を含む不良情報を生成し、
前記不良情報に基づいて、前記構成基板を積層した時に前記不良の単位基板の位置が一致するような前記構成基板の組み合わせに関する組み合わせ情報を生成し、
生成した組み合わせ情報を出力する
ことを特徴とする多層基板製造方法。
【発明の詳細な説明】
【技術分野】
【０００１】
本発明は、多層基板を積層する際の積層指示装置、多層基板製造システム、及び多層基板製造方法に係り、特に、複数の単位基板が配設された構成基板を積層して成る多層基板を製造する際の積層指示装置、多層基板製造システム、及び多層基板製造方法に関するものである。
【背景技術】
【０００２】
電子回路を稼動するため、素子を実装する配線基板が用いられている。この配線基板に形成される配線パターンは、微細化や高密度化の傾向にあり、高精度な配線形成技術が求められている。
【０００３】
最近では、携帯電話やデジタルカメラ等の小型化が進み、各種部品の小型化及び高性能化が図られて複数の基板を積層した多層基板が多用されており、このような多層基板においては、各層の面上に形成される配線パターンの他に、積層された各層の配線パターン間を接続する配線パターン（ビアホールやディスクリート部品のリード挿入穴等）も形成されるので、多層基板の配線形成には更なる高精度が要求される。
【０００４】
一般的に、配線基板の配線パターンは、以下のような工程により形成される。
【０００５】
即ち、露光前基板の表面にエッチングレジスト（例えば、ドライフィルム型、液状型、電着型等）を形成し、次いで、所望のパターンが描かれた露光マスクを介して露光することにより、前記エッチングレジストに露光パターンを焼付ける。
【０００６】
次に、現像処理によって、前記露光前基板に所望のエッチングレジストパターンを形成した後、エッチング処理にて露出している導体層をエッチング除去し、次いで、前記エッチングレジストパターンを剥離することによって、所望の配線パターンを得るというものである。
【０００７】
しかし、配線パターンが高密度になるほど、露光、現像、エッチングの各工程において不良（パターン欠け、パターン太り、突起等）が発生する確率が高くなる。
【０００８】
このため、プリント配線基板の製造工程において、配線パターンの不良箇所を目視や検査装置（ＡＯＩ：Automatic Optical Inspection）によって検出することが行われている（例えば特許文献１及び特許文献２参照）。
【０００９】
ところで、携帯電話等に使用されるプリント配線基板はサイズが小さいため、複数個まとめて製造されるのが通常である。例えば、実装単位のプリント配線基板を１ピースとして、複数のピースが配置されたシートがワークと呼ばれる基板上に複数個配置されたプリント配線基板を製造する。この場合、不良箇所の検出は、最終製品であるピース単位で行われる。
【００１０】
上記特許文献１には、不良を検出した場合、その箇所にカッター等によってキズを付けたり、インクを塗布したりすることによりマーキングすることで不良箇所を識別する方法が記載されている。
【００１１】
また、上記特許文献２には、不良が検出されたシートサイズの基板をカットして良品のシートサイズの基板に取り替えて積層する方法が記載されている。
【特許文献１】特開２００２−３２９８１３号公報
【特許文献２】特開２００３−８２１０号公報
【発明の開示】
【発明が解決しようとする課題】
【００１２】
しかしながら、多層基板の場合、内層の基板に不良が検出されて、その位置にマーキングがされても、外層の基板を積層した後は内層の不良箇所を識別することができない。また、上記特許文献１に記載されたように、不良箇所にカッター等によってキズを付けることでマーキングしたり、上記特許文献２に記載されたように、不良の基板をカットして良品に置き換えるようにした場合、切り屑等が基板上に残り不良の原因となる場合がある。
【００１３】
さらに、複数のピースが配設された多層基板の場合において、内層及び外層の両方に不良のピースが存在した場合、これらのピースの位置が異なる場合には、各層の不良のピースの数だけ積層後の最終製品も不良となり、歩留まりが悪化する、という問題があった。
【００１４】
本発明は、上記事情に鑑み、複数の単位基板が配設された多層基板の製造において歩留まりが悪化するのを防ぐことができる積層指示装置、多層基板製造システム、及び多層基板製造方法を提供することを目的とする。
【課題を解決するための手段】
【００１５】
上記目的を達成するために、請求項１記載の積層指示装置は、形成パターンが形成された単位基板が複数配設されて成る構成基板を複数個積層する際に、積層する前記構成基板の組み合わせを指示する積層指示装置において、前記構成基板に配設された単位基板のうち、前記形成パターンに不良が存在する不良の単位基板の位置に関する情報を含む不良情報を入力する入力手段と、入力した前記不良情報に基づいて、前記構成基板を積層した時に前記不良の単位基板の位置が一致するような前記構成基板の組み合わせに関する組み合わせ情報を生成する生成手段と、を備えたことを特徴とする。
【００１６】
本発明に係る積層指示装置は、複数の単位基板が配設された構成基板を複数個積層して多層基板を製造する際に、最終的に不良の製品の数がなるべく減るように積層する構成基板の組み合わせを指示するものである。
【００１７】
このため、入力手段は、構成基板に配設された単位基板のうち、形成パターンに不良が存在する不良の単位基板の位置に関する情報を含む不良情報を入力する。
【００１８】
生成手段は、入力した不良情報に基づいて、構成基板を積層した時に不良の単位基板の位置が一致するような構成基板の組み合わせに関する組み合わせ情報を生成する。
【００１９】
この生成された組み合わせ情報を用いて、不良の単位基板の位置が一致するように積層する構成基板を選択することが容易となり、歩留まりが悪化するのを防ぐことができる。
【００２０】
請求項２記載の多層基板製造システムは、形成パターンが形成された単位基板が複数配設されて成る構成基板を複数個積層して多層基板を製造する多層基板製造システムにおいて、前記単位基板に形成された形成パターンの不良を単位基板毎に検査して、不良の単位基板の位置に関する情報を含む不良情報を生成する検査手段と、前記不良情報に基づいて、前記構成基板を積層した時に前記不良の単位基板の位置が一致するような前記構成基板の組み合わせに関する組み合わせ情報を生成する生成手段と、生成した組み合わせ情報を出力する出力手段と、を備えたことを特徴とする。
【００２１】
この発明によれば、検査手段によって、単位基板に形成された形成パターンの不良を単位基板毎に検査して、不良の単位基板の位置に関する情報を含む不良情報を生成し、生成手段によって、不良情報に基づいて、構成基板を積層した時に不良の単位基板の位置が一致するような構成基板の組み合わせに関する組み合わせ情報が生成される。生成された組み合わせ情報は出力手段によって出力される。
【００２２】
これにより、生成された組み合わせ情報を用いて、不良の単位基板の位置が一致するように積層する構成基板を選択することが容易となり、歩留まりが悪化するのを防ぐことができる。
【００２３】
なお、請求項３に記載したように、前記出力手段は、前記組み合わせ情報を用紙に印刷する印刷手段及び前記組み合わせ情報を表示する表示手段の少なくとも一方を含む構成とすることができる。
【００２４】
また、請求項４に記載したように、前記構成基板に識別符号を付与する付与手段をさらに備え、前記不良情報が、前記不良の単位基板を含む構成基板の識別符号と前記不良の単位基板の位置を示す位置情報とを含み、前記組み合わせ情報が、前記不良の単位基板の位置が一致する組み合わせの構成基板の識別符号を含む構成とすることができる。
【００２５】
請求項５記載の多層基板製造方法は、形成パターンが形成された単位基板が複数配設されて成る構成基板を複数個積層して多層基板を製造する多層基板製造方法において、前記単位基板に形成された形成パターンの不良を単位基板毎に検査して、不良の単位基板の位置に関する情報を含む不良情報を生成し、前記不良情報に基づいて、前記構成基板を積層した時に前記不良の単位基板の位置が一致するような前記構成基板の組み合わせに関する組み合わせ情報を生成し、生成した組み合わせ情報を出力することを特徴とする。
【００２６】
この発明によれば、生成された組み合わせ情報を用いて、不良の単位基板の位置が一致するように積層する構成基板を選択することが容易となり、歩留まりが悪化するのを防ぐことができる。
【発明の効果】
【００２７】
本発明によれば、複数の単位基板が配設された多層基板の製造において歩留まりが悪化するのを防ぐことができる、という効果を有する。
【発明を実施するための最良の形態】
【００２８】
以下、本発明の実施形態について図面を用いて説明する。
【００２９】
図１は、パターン製造システム１の概略構成を示す図であり、このパターン製造システム１により形成パターンの一例である回路パターンを製造する場合について説明する。
【００３０】
基板上に回路パターンを形成する場合には、まず、銅箔貼着工程Ａにおいて基板上に回路形成材である銅箔を貼着し、整面工程Ｂにおいて貼着した銅箔の上面を機械研磨や化学研磨で整面処理し、ラミネーション工程Ｃにおいて、整面した銅箔上面にレジスト（レジスト材）をラミネートする。
【００３１】
次に、本発明のパターン製造システム１により、基板に塗布されたレジストを露光し、露光されたレジストを現像してレジストパターンを形成し、レジストパターンが形成された基板上の銅箔をエッチングして形成パターンを形成する。
【００３２】
上記パターン製造システム１は、ラミネートされたレジスト材にパターンを露光する直描型の露光装置（露光部）４、露光されたレジストを現像してレジストパターンを形成する現像装置（現像部）５、レジストパターンが形成された基板上の銅箔をエッチングして形成パターンを形成するエッチング装置（エッチング部）６、出力部１０を備えている。
【００３３】
エッチング装置６には、銅箔をエッチングして形成された形成パターンをスキャンした画像情報が得られるように、ＣＣＤカメラを用いた光学式検査機（ＡＯＩ）などの画像認識装置（画像認識手段）６０が設けられ、画像認識装置６０は露光装置４とネットワーク８で接続されて、画像情報２００に基づいて生成された不良情報２００が画像認識装置６０から露光装置４に送信される。
【００３４】
ＣＡＤ（Computer Aided Design）などを用いて設計された目標形成パターン（実際に形成しようとしている回路パターン）は、ＣＡＭ（Computer Aided Manufacturing）７に取り込まれ、ＣＡＭ７では、目標形成パターンの面付けレイアウト処理、位置合わせ用のマーキング、識別用のシンボルデータ、パターンの均一化用のダミーデータなどの付加情報の付加などを行った後に、回路パターンを加工するための座標値、線幅などを含む加工用パターンデータ１００（例えば、Ｇｅｒｂｅｒデータなど）に変換されて露光装置４に出力される。
【００３５】
露光装置４は、図２に示すように、ＣＡＭ７から入力された加工用パターンデータ１００を加工に適した形式に変換するデータ変換手段４１と、加工用パターンデータ１００に従って基板両面の露光を行う露光制御手段（露光用光源を含む）４４と、後述する不良情報２００を記憶するメモリ４６と、を備えている。
【００３６】
上記露光装置４として、レーザなどを用いてレジストに直接描画する直描装置が用いられる。例えば、図３に示すように、レーザ直描装置４０はレーザ発生装置から発せられるレーザビームＬＢをビームスプリッターやビームセパレータを介して複数の描画用光束Ｌに分割し、分割された光束が一列状に並ぶ描画用光束ＬＬとなって描画テーブルＴ上に到達するように構成され、描画テーブルＴにセットされた基板Ｓ上を主走査方向（Ｙ方向）と副走査方向（Ｘ方向）に描画用光束ＬＬを走査させて基板Ｓに１列状に並んだドットで描画を行うものである。具体的には、特開平７−１５９９３公報や特開平９−３２３１８０公報などに開示されている。あるいは、直描型の露光装置として、ＬＣＤ（液晶表示素子）やＤＭＤ（デジタル・マイクロミラー・デバイス）などの空間光変調素子を用いるものであってもよい。
【００３７】
このようなレーザ直描装置４０で基板上のレジストに描画を行う場合には、加工用パターンデータ１００をラスタデータに変換したものを描画データとし、この描画データに基づいて露光制御手段４４で露光が行われる。
【００３８】
本実施形態におけるパターン製造システム１で対象とするワークボード２０（図４参照）は、基板製造メーカ等において製造された当初の材料基板がプリント配線基板用として所定サイズに切断されて供給されたものである。本実施形態に係るパターン製造システム１では、その基板製造メーカ等から供給されるワークボード２０上に、複数の回路パターンを設計し、ワークボード２０上の配線形成を一括して行い、配線形成後に基板を切断し、所望の配線パターンが形成された単位配線基板を複数同時に得る。すなわち、電子部品（ＩＣ）パッケージは、単位配線基板（ピース）にＩＣチップ等の電子部品を搭載するものである。ＩＣチップを搭載する位置に設けられるパッドや配線を備えた１つの電子部品パッケージの配線領域であるピース５２を縦横複数配設した配線領域のシート５０を設計し、同一ピース５２のシート５０または異なるピース５２のシート５０を縦横複数配設した配線領域のワークボード２０を設計する。
【００３９】
次に、パターン製造システム１を用いて多層基板を構成する各プリント配線基板を製造する場合の作用について、図５のフローチャートに従って説明する。
【００４０】
なお、以下では、一例として多層基板を構成する各プリント配線基板を別々に作製してこれらを一括して積層することにより多層基板を製造する場合について説明するが、製造方法はこれに限られるものではない。
【００４１】
まず、回路パターンを製造するために、露光装置４はＣＡＭ７から基板の加工用パターンデータ１００を受信し（Ｓ１００）、露光装置４では受信したＧｅｒｂｅｒデータ等のベクトルデータ形式の加工用パターンデータ１００をデータ変換手段４１でラスタデータ形式の加工用パターンデータ（描画データ）に変換する（Ｓ１０２）。
【００４２】
そして、露光制御手段４４で図６に示すような露光処理を行う（Ｓ１０４）。この処理については後述する。
【００４３】
基板の銅箔上に塗布されたレジストが露光されると、現像装置５で現像を行って不要なレジストが除去され（ポジ型レジストの場合は露光されたレジストが除去され、ネガ型レジストの場合は露光されていないレジストが除去される）、銅箔の上面にレジストパターンが形成される（Ｓ１０６）。
【００４４】
さらに、レジストパターンが形成された基板上の銅箔をエッチング装置６でエッチングして形成パターンが形成される（Ｓ１０８）。
【００４５】
形成パターンが形成されると、画像認識装置６０において、図７に示すような検査処理が行われ、不良情報２００が生成される（Ｓ１１０）。不良情報２００は、画像認識装置６０の図示しないメモリに記憶されると共に露光装置４に出力され、露光装置４のメモリ４６に記憶される。
【００４６】
所定ロット数分の多層基板を構成する内層及び外層の基板全てについて上記の処理が終了していない場合には（Ｓ１１２−Ｎ）、次の基板を上記と同様に処理する。
【００４７】
このようにして、所定ロット数分の多層基板を構成する外層基板及び内層基板が全て製造されると（Ｓ１１２−Ｙ）、画像認識装置６０において積層指示情報３００が生成され出力部１０に出力される（Ｓ１１４）。なお、この処理についての詳細は後述するが、積層指示情報３００は、内層基板及び外層基板を積層する際に、不良製品が極力少なくなるような基板の組み合わせを指示した情報である。
【００４８】
出力部１０は、例えばプリンタで構成され、画像認識装置６０から出力された積層指示情報３００を用紙に印刷する（Ｓ１１６）。なお、出力部１０は、積層指示情報３００を表示するディスプレイ等で構成してもよい。
【００４９】
また、外層基板及び内層基板を一括して積層する方法により多層基板を製造する場合には、各基板にレーザ等により穴あけ加工し、その穴に導電性材料を充填して所謂ＩＶＨ（Interstitial Via Hole）と呼ばれるビアホールを形成する。
【００５０】
オペレータは、積層指示情報３００が印刷された用紙を参照し、これに基づいて外層基板及び内層基板を組み合わせてプレス機に投入し、これらをプレスさせる。その後、ソルダレジストを施し、シルク印刷等の処理が施されて、多層基板が作製される。
【００５１】
なお、外層基板及び内層基板を一括積層することにより多層基板を製造する場合に限らず、回路パターンが形成されていない外層基板及び回路パターンが形成された複数の内層基板を積層してプレスし、ドリル等によって穴あけ加工した後にメッキ処理することによりスルーホールを形成し、外層基板上に回路パターンを形成した後、ソルダレジストを施す方法により多層基板を作製してもよい。なお、所謂ビルドアップ基板の場合には、上記のように内層基板を積層してコア基板を作製し、このコア基板上にビルドアップ層を形成する。この場合、レーザ加工等によりビルドアップ層にビアホールを形成する。
【００５２】
次に、露光装置４で実行される露光処理について図６に示すフローチャートを参照して説明する。
【００５３】
図６に示すように、露光処理では、ワークボード２０を特定するためのワークＩＤをワークボード２０上の回路パターン形成領域外（ピース５２の形成領域外）の予め定めた所定位置、例えば基板端部に露光する（Ｓ２００）。なお、ワークＩＤは、例えばワークボード２０の種類を任意のアルファベットの組み合わせで表した第１の符号と、内層又は外層を示すと共に何層目かを示す第２の符号‘Ｉｘ’、又は‘Ｏｙ’と、シリアルＮｏを数字で表した第３の符号と、を組み合わせた識別符号とすることができる。なお、第２の符号の‘Ｉ'は内層を示し、‘ｘ’は内層の例えば下から何層目かを示す数字が付与される。また、‘Ｏ’は外層を示し、‘ｙ’は、外層のうち表面（Ａ面）側を示す‘Ａ’又は外層のうち裏面（Ｂ面）側を示す‘Ｂ’の文字が付与される。また、シリアルＮｏはワークボード１枚毎に固有の番号が付与され、例えば‘１’から順に連番で付与される。
【００５４】
例えばＡＡＡ−Ｉ１−１というワークＩＤの場合、ワークボードの種類が‘ＡＡＡ’で、内層の１層目に使用され、シリアルＮｏが‘１’のワークボード２０であることを示す。また、ＡＡＢ−ＯＡ−３というワークＩＤの場合、ワークボードの種類が‘ＡＡＢ’で、外層のＡ面に使用され、シリアルＮｏが‘３’のワークボード２０であることを示す。
【００５５】
なお、同じ多層基板を構成するワークボード２０に対しては、ワークボードの種類を示す第１の符号が同一となるようにワークＩＤを付す。ワークＩＤの付与の仕方はこれに限られるものではなく、ワークボード２０の種類や、内層及び外層の区別並びに位置、シリアルＮｏが識別できるものであればよい。
【００５６】
また、露光しようとするワークボード２０が外層用であるか内層用であるかは、加工用パターンデータ１００に外層用か内層用かを示すデータを含めておき、これを露光制御４４で識別してワークＩＤを露光するようにすればよいが、このような方法に限られるものではない。
【００５７】
そして、露光対象の外層用のワークボード２０である場合には（Ｓ２０２−Ｙ）、後述するように画像認識装置６０による検査処理によって生成された不良情報２００が記憶されたメモリ４６から不良情報２００を読み出す（Ｓ２０４）。この不良情報２００は、内層用のワークボード２０について、エッチング後の形成パターンの不良（配線パターンの欠け、太り等）をピース毎に検査した結果として、不良が検出されたピースのピース番号及びピース位置、ワークＩＤ等の情報が含まれている。なお、ワークボード２０上の各ピースは、その位置に固有のピース番号が予め付与され、このピース番号と、そのピース番号のピース位置との対応関係が露光装置４のメモリ４６や画像認識装置６０の図示しないメモリに記憶されている。このため、ピース番号からピース位置を取得することができる。ピース位置は、例えばワークボード２０上の座標データ等で表される。
【００５８】
そして、露光対象の外層用のワークボード２０に対応する内層用のワークボード２０に不良が検出されたピースが存在するか否かを不良情報２００に基づいて判断する（Ｓ２０６）。すなわち、不良情報２００に含まれるワークＩＤと、露光対象の外層用のワークボード２０に対して露光したワークＩＤとを比較し、ワークＩＤの第１の符号が一致するワークＩＤが不良情報２００に含まれるか否かを判断する。
【００５９】
そして、対応する内層用のワークボード２０に不良のピース５２が存在する場合には（Ｓ２０６−Ｙ）、不良情報２００からその不良ピースのピース位置を取得し、その位置に従って露光用の描画データを変更する。すなわち、不良ピースのピース位置に対応したピースに形成すべき回路パターンに代えて、不良であることを示す識別マークが露光されるように描画データを変更する。なお、識別マークは、例えば‘ＮＧ’等の文字でもよいし、予め定めた記号やマークでもよい。また、識別マークが露光されるように描画データを変更するのではなく、そのピースに形成すべき回路パターンが露光されないように、すなわち、その部分が空白となるように描画データを変更してもよい。また、その部分を全面露光するように（ベタパターンで塗りつぶすように）描画データを変更してもよい。
【００６０】
そして、描画データに基づいて、外層用のワークボード２０を露光する。一方、露光対象のワークボード２０が内層用のワークボード２０である場合には（Ｓ２０２−Ｎ）、描画データを変更せずに内層用のワークボード２０を露光する。
【００６１】
露光後は、前述したように現像、エッチングされ、回路パターン及びワークＩＤがワークボード２０上に形成される。
【００６２】
このように、外層用のワークボード２０を露光する際に、対応する内層用のワークボード２０に不良ピースが存在する場合には、これを容易に識別できるように描画データを一部変更して露光するので、不良ピースの識別が容易となる。このため、不良ピースに部品を誤って実装してしまうのを防ぐことができる。
【００６３】
なお、外層露光時に識別マークを露光して不良ピースの位置に識別マークを形成するのではなく、さらに後工程のソルダーレジストを施す際やシルク印刷等の文字印刷時に不良ピースの位置に識別マークを形成するようにしてもよい。
【００６４】
次に、画像認識装置６０で実行される検査処理について、図７に示すフローチャートを参照して説明する。
【００６５】
検査処理では、まずワークＩＤが読み取られる（Ｓ３００）。そして、読み取ったワークＩＤの第２の符号に基づいて、検査対象のワークボード２０が外層用か内層用かを判断し、外層用であった場合には（Ｓ３０２−Ｙ）、検査対象の外層用のワークボード２０に対応する内層用のワークボード２０に不良が検出されたピースが存在するか否かを不良情報２００に基づいて判断する（Ｓ３０６）。すなわち、不良情報２００に含まれるワークＩＤと、検査対象の外層用のワークボード２０に対して露光したワークＩＤとを比較し、ワークＩＤの第１の符号が一致するワークＩＤが不良情報２００に含まれるか否かを判断する。
【００６６】
そして、対応する内層用のワークボード２０に不良のピース５２が存在する場合には（Ｓ３０６−Ｙ）、不良情報２００からその不良ピースのピース番号を取得し、そのピース５２を除く全てのピース５２の検査行う（Ｓ３０８）。なお、ピース５２の検査は、種々の公知の手法を用いることができ、例えば特開平１１−３３７４９８号公報に記載された方法等を用いることができる。
【００６７】
そして、外層用のワークボード２０について不良ピースが存在する場合には（Ｓ３１０−Ｙ）、所定の対応処理を行い（Ｓ３１２）、不良ピースが存在しない場合には（Ｓ３１０−Ｎ）、本ルーチンを終了する。なお、対応処理としては、不良ピースのピース番号やピース位置、ワークＩＤを外層のワークボード２０の不良情報２００として記憶する処理やインク等により不良ピースの位置にマーキングする等の処理がある。不良ピースの位置にマーキングする場合、外層検査後ではなく、さらに後工程であるソルダーレジストを施す際やシルク印刷等の文字印刷時に不良ピースの位置に識別マークを形成するようにしてもよい。
【００６８】
一方、検査対象のワークボード２０に対応する内層用のワークボード２０に不良ピースが存在しない場合には（Ｓ３０６−Ｎ）、全ピース検査する（Ｓ３１４）。
【００６９】
また、検査対象のワークボード２０が内層用のワークボード２０であった場合には（Ｓ３０２−Ｎ）、全ピース検査する（Ｓ３１６）。そして、不良ピースがあった場合には（Ｓ３１８−Ｙ）、不良情報２００を画像認識装置６０内の図示しないメモリに記憶すると共に露光装置４へ出力し（Ｓ３２０）、不良ピースがない場合には（Ｓ３１８−Ｎ）、本ルーチンを終了する。なお、不良情報２００には、前述したように不良ピースのワークＩＤの他、不良ピースの位置を特定する情報、すなわちピース番号やピース位置の情報を含める。ピース位置を座標データとした場合、例えば不良ピースの中心位置の座標データでもよいし、不良ピースの形状やサイズを特定できるように不良ピースの角部全ての座標データを含めるようにしてもよい。なお、不良ピースの位置を特定できるものであれば上記に限られない。
【００７０】
このように、内層用のワークボード２０に不良ピースが存在する場合には、そのピースのワークＩＤやピース番号及びピース位置の情報を不良情報２００として露光装置４に出力するようにしたため、露光装置４側で不良ピースの位置を容易に識別することができる。
【００７１】
従って、露光装置４で外層用のワークボード２０を露光する際に、不良ピースの位置に不良であることを示す識別マークを容易に露光することができる。また、本実施形態では、不良ピースにキズを付けたりすることなく不良ピースの位置を識別可能としているため、切り屑等による不良を防ぐことができる。
【００７２】
また、外層用のワークボード２０の検査においては、不良ピースが存在する位置については検査を実行しないので、無駄な検査を省くことができ、検査時間を短縮することができる。
【００７３】
なお、本実施形態では、ワークＩＤを露光してパターンとして形成した場合について説明したが、これに限らず、基板の端部にワークＩＤに対応した切り欠き等を入れるようにしてもよく、インク等で印刷してもよい。
【００７４】
このようにして内層基板及び外層基板について、不良ピースのピース番号及びピース位置、ワークＩＤを含む不良情報２００が生成され、図５に示すように、所定ロット数分の多層基板を構成する外層基板及び内層基板が全て製造されると（Ｓ１１２−Ｙ）、画像認識装置６０において積層指示情報３００が生成され出力部１０に出力される（Ｓ１１４）。
【００７５】
画像認識装置６０では、内層基板及び外層基板の不良情報２００に基づいて、積層指示情報３００を生成する。不良情報２００には、不良ピースが存在するワークボード２０のワークＩＤと不良ピースのピース番号との対応関係が含まれる。画像認識装置６０では、各基板を積層した際に不良ピースが重なるように、すなわち不良ピースのピース番号が一致する内層基板及び外層基板の組み合わせを求め、求めた組み合わせの基板のワークＩＤを積層指示情報３００とする。
【００７６】
以下、積層指示情報３００の生成の一例について説明する。例えば図８に示すようにピース番号が付与されているものとし、図９（Ａ）に示すような不良情報２００が画像認識装置６０により生成されたものとする。
【００７７】
この場合、ワークＩＤが‘ＡＡＡ−Ｉ１−１’である内層基板とワークＩＤが‘ＡＡＡ−ＯＡ−１’である外層基板とを組み合わせ、不良ピースの存在しない他の基板と積層して多層基板を製造した場合、図１０（Ａ）に示すように、最終的に不良となるピースは、ピース番号が１，４，７，１０の合計４個となる。
【００７８】
また、ワークＩＤが‘ＡＡＡ−Ｉ１−２’である内層基板とワークＩＤが‘ＡＡＡ−ＯＡ−２’である外層基板とを組み合わせ、不良ピースの存在しない他の基板と積層して多層基板を製造した場合、図１０（Ｂ）に示すように、最終的に不良となるピースは、ピース番号が７，１０の合計２個となる。従って、この場合は、２つの多層基板で合計６個の不良ピースが存在することとなる。
【００７９】
このように、組み合わせた基板に存在する不良ピースの位置がばらばらの場合には、最終的に不良となるピースが増加し、歩留まりが悪化する。
【００８０】
このため、画像認識装置６０では、ピース番号が一致する不良ピースが存在する組み合わせとして、ワークＩＤが‘ＡＡＡ−Ｉ１−１’である内層基板とワークＩＤが‘ＡＡＡ−ＯＡ−２’である外層基板とを組み合わせると共に、ワークＩＤが‘ＡＡＡ−Ｉ１−２’である内層基板とワークＩＤが‘ＡＡＡ−ＯＡ−１’である外層基板とを組み合わせ、これらワークＩＤの組み合わせを図９（Ｂ）に示すような積層指示情報３００として生成する。
【００８１】
これにより、図１１（Ａ）に示すように、ワークＩＤが‘ＡＡＡ−Ｉ１−１’である内層基板とワークＩＤが‘ＡＡＡ−ＯＡ−２’である外層基板とを組み合わせて製造された多層基板における最終的な不良ピースは、ピース番号が１，７の合計２個となる。
【００８２】
また、図１１（Ｂ）に示すように、ワークＩＤが‘ＡＡＡ−Ｉ１−２’である内層基板とワークＩＤが‘ＡＡＡ−ＯＡ−１’である外層基板とを組み合わせて製造された多層基板における最終的な不良ピースは、ピース番号が４，７の合計２個となる。従って、この場合は、２つの多層基板で合計４個の不良ピースが存在することとなり、図１０の場合と比較して、最終的な不良ピースの数を２個減らすことができる。
【００８３】
なお、上記では、外層基板と内層基板の組み合わせについて説明したが、内層基板同士の組み合わせについても同様である。
【００８４】
このようにして生成された積層指示情報３００は用紙に印刷される（Ｓ１１６）。オペレータは、この用紙に印刷された積層指示情報３００に従って内層基板及び外層基板を選択して組み合わせてプレス機に投入することにより、最終的な不良ピースを減らすことができ、歩留まりを向上させることができる。
【００８５】
なお、本実施形態では、積層指示情報３００を出力部１０に出力して印刷する場合について説明したが、これに限らず、積層指示情報３００をプレス機に出力し、プレス機側でこれを表示して積層させるべき基板の組み合わせを指示するようにしてもよい。
【００８６】
また、本実施形態では、エッチング部６に設けられた画像認識装置６０において不良情報２００に基づいて積層指示情報３００を生成する場合について説明したが、これに限らず、不良情報２００を入力する入力手段を備え、入力した不良情報２００に基づいて積層指示情報３００を生成する装置を独立して設けても良い。
【００８７】
また、本実施形態では、多層基板を構成する構成基板（外層基板及び内層基板）を所定ロット数分全て製造及び検査した後に積層指示情報３００を生成する場合について説明したが、これに限らず、一部の複数の構成基板が所定ロット数分製造及び検査された時点で、積層指示情報３００を生成するようにしてもよい。すなわち、例えば３０層を積層する多層基板のような場合、１０層分の構成基板が製造及び検査される毎に積層指示情報３００を生成するようにしてもよい。
【図面の簡単な説明】
【００８８】
【図１】パターン製造システムの構成を説明するための図である。
【図２】露光装置のブロック図である。
【図３】レーザ直描装置の図である。
【図４】補正テーブル作成処理を表すフローチャートである。
【図５】パターン製造システムの動作を表すフローチャートである。
【図６】露光装置の動作を表すフローチャートである。
【図７】画像認識装置６０の動作を表すフローチャートである。
【図８】ピース番号の付与について説明するための図である。
【図９】（Ａ）は不良情報の一例を示す図、（Ｂ）は積層指示情報３００の一例を示す図である。
【図１０】従来例に係る基板の組み合わせで発生する不良ピースの位置について説明するための図である。
【図１１】本発明に係る基板の組み合わせで発生する不良ピースの位置について説明するための図である。
【符号の説明】
【００８９】
Ａ 銅箔貼着工程
Ｂ 整面工程
Ｃ ラミネーション工程
１ パターン製造システム
４ 露光装置
５ 現像装置
６ エッチング装置
７ ＣＡＭ
８ ネットワーク
１０ 出力部（出力手段）
２０   ワークボード
４０      レーザ直描装置
４１      データ変換手段
４４      露光制御手段
４６      メモリ
５０   シート
５２   ピース
６０      画像認識装置（検査手段、生成手段）
１００      加工用パターンデータ
２００      不良情報
３００      積層指示情報（組み合わせ情報）
【図１】
0004637677.tif 000002
【図２】
0004637677.tif 000003
【図３】
0004637677.tif 000004
【図４】
0004637677.tif 000005
【図５】
0004637677.tif 000006
【図６】
0004637677.tif 000007
【図７】
0004637677.tif 000008
【図８】
0004637677.tif 000009
【図９】
0004637677.tif 000010
【図１０】
0004637677.tif 000011
【図１１】
0004637677.tif 000012